(57)【特許請求の範囲】
【請求項１】
天井埋込型空気調和装置の空調空気吹出口の下流側において天井面に取付けられる天井パネル構造体であって、
空調空気吹出口の下流側において天井面に取付けられる直線状ベース部材（２０）であって長さ方向の全域において一定の横断面形状を備えるものと、該直線状ベース部材（２０）と実質的に同じ長さで該直線状ベース部材（２０）に取外し可能に取付けられる直線状カバー部材（３０）であって長さ方向の全域において一定の横断面形状を備えるものとを有し、
直線状ベース部材（２０）が、細長い平板状のベース本体（２１）と、該ベース本体の幅方向の両端部において該ベース本体の一方の主面から該ベース本体の幅よりも小さい距離突出した幅方向内向きの一対の係合部（２４，２５）と、該一対の係合部の間においてベース本体の前記一方の主面から突出した補強リブ（２９）とを備え、
直線状カバー部材（３０）がその幅方向の両端部に、直線状ベース部材（２０）の一対の係合部（２４，２５）に係合される幅方向外向きの一対の被係合部（３５，３６）を備え、
前記直線状カバー部材（３０）が、全体として湾曲板状体の形態であって、吹出口から吹出した空調空気流の案内部（３１）と、案内部の下流側に位置し空調空気の流れに抵抗を付与する抵抗付与部（３２）と、該抵抗付与部の下流側に位置し吹出口から遠いところ程天井面から離れるように傾斜していて空調空気の流れを天井から遠ざかる向きに転向させる転向部（３３）とを有し、
直線状カバー部材（３０）の幅方向内側の被係合部（３５）が直線状ベース部材（２０）の対応する係合部（２４）に係合され直線状カバー部材（３０）の前記案内部（３１）が背面で直線状ベース部材（２０）の前記補強リブ（２９）に当接した状態で、直線状カバー部材（３０）の幅方向外側の被係合部（３６）が直線状ベース部材（２０）の対応する係合部（２５）に着脱されるように、直線状カバー部材（３０）の抵抗付与部（３２）及び転向部（３３）と協働してＶ字状断面を与える外側壁部（３４）が転向部（３３）と幅方向外側の被係合部（３６）との間に形成され、且つ直線状ベース部材（２０）の幅方向外側の係合部（２５）が先端部に先端に近い程ベース本体（２１）に近接するように傾斜した傾斜案内面（２７ａ）を有すると共に直線状カバー部材（３０）の幅方向外側の被係合部（３６）が先端部に幅方向内側程天井に近接するように傾斜した傾斜案内面（３８ａ）を有する
天井パネル構造体。
【請求項２】
天井パネル構造体（１０）が、前記直線状ベース部材（２０）及び前記直線状カバー部材（３０）からなる直線状パネル構造体（１１）に加えて、空気調和装置（２）のコーナー部（２ｂ）の外側において、二つの直線状パネル構造体（１１，１１）をつなぐコーナーパネル構造体（１２）を有し、
コーナーパネル構造体（１２）は、全体として「く」の字状のコーナーベース部材（４０）及び全体として「く」の字状のコーナーカバー部材（７０）に加えて、空気調和装置（２）のコーナー部（２ｂ）の丸みの差異を吸収すべく該コーナーパネル構造体（１２）のコーナー部の内縁の丸みが調整可能であるように、コーナーベース部材（４０）のコーナー部の内縁部の天井面側の凹部（５３）に該コーナーベース部材（４０）に対して着脱可能に取付けられるコーナースペーサ部材（９０，９８，９９）であって該内縁部の凹部（５３）の形状に適合する外縁部形状を備え且つ空気調和装置（２）のコーナー部（２ｂ）の丸みに適合する丸みの内縁（９２，１０２，１０３）を備えたものを有し、
コーナーベース部材（４０）が、「く」の字状の板状のコーナーベース本体（４１）であって一対のアーム部（４２，４２）からなるものと該コーナーベース本体（４１）のアーム部（４２）の幅方向外縁（４５）に位置するＵ字状の外側側壁部（６０）とを有し、該外側側壁部（６０）が、Ｕの外側傾斜壁部（６３）の先端側に先端側傾斜壁部分（６５）を備え、該先端側傾斜壁部分（６５）が各アーム部（４２）の自由端（４７）を越えて突出した突出部（６６）であってその内面（６７）が直線状ベース部材（２０）の幅方向外縁部（２３ａ）の外面に密接されるものを有し、
コーナーカバー部材（７０）が、直線状パネル構造体（１１）を形成した状態の直線状カバー部材（３０）の外表面及び直線状ベース部材（２０）の幅方向内側係合部（２４）の外表面と相補的形状の内表面を、「く」の字状の二つの自由端部に備える
請求項１に記載の天井パネル構造体。
【発明の詳細な説明】
【０００１】
【発明の属する技術分野】
本発明は、壁面に取付けられた物品の周囲に配置される枠体に係わり、特に、天井埋込型空気調和装置の周囲において天井面に取り付けられ空調空気の流れを天井面から遠ざかる方向に転向させる天井パネル構造体に係わる。
【０００２】
この明細書において、壁面は、典型的には水平に延びる天井面又は上下方向に延びる壁の面である。また、物品の周囲とは、典型的には、全周を指すけれども、例えば、一側の如く周囲の一部であってもよい。
【０００３】
【従来の技術】
天井埋込型空気調和装置の外周の空気吹出口から吹出した空調空気流が天井面に当って天井面を汚すのを最小限に抑えるために、吹出空気流を天井面から離れる向きに転向させる転向部を備えた天井パネル構造体を空気調和装置の外周に設けること及び該天井パネル構造体をベース部材とカバー部材とで構成すること等（特許３１９０９２６号）、並びに直線状カバー部材の直線状ベース部材に対する着脱を容易にすべく直線状ベース部材の幅方向の二箇所に設けた係合部に直線状カバー部材の幅方向両端の被係合部を係合させること等（特願２００１−４５３９１）は、本発明者が既に提案している。
【０００４】
天井面が汚れ易い厨房の如く天井埋込型空気調和装置の使用箇所の中には空気調和装置の取付位置（例えば隅に近いところ）やその周囲の天井面に装着された他の機器等の（配設）障害物の存在などに起因する配設スペースの狭さの故に、天井パネル構造体の直線状ベース部材の幅方向の二箇所にある係合部のうちの一方が実際上幅方向内端に位置し天井埋込型空気調和装置の外側面に実際上密接せしめられると共に他方の係合部が幅方向外端に位置して他の障害物等の側面に実際上密接せしめられるように配置される必要があることも少なくない。
【０００５】
【発明が解決しようとする課題】
ところが、特願２００１−４５３９１の場合、直線状カバー部材の直線状ベース部材への装着に際して、直線状カバー部材の被係合部が相互に幅方向内向きに直線状ベース部材の係合部に係合される必要があるので、直線状カバー部材の被係合部が天井埋込型空気調和装置や障害物などの対応側壁に当って着脱が容易に行われ難いことがある。
【０００６】
本発明は、前記諸点に鑑みなされたものであって、その目的とするところは、着脱に際して細長いベース部材の幅方向端縁を超えてカバー部材を幅方向に移動させる必要のない枠体であって、天井用パネル構造体等に用いられるに適したものを提供することにある。
【０００７】
【課題を解決するための手段】
本発明の枠体は、前記目的を達成すべく、壁面に取付けられた物品の周囲に配置される枠体であって、物品の周囲において壁面に取付けられる細長いベース部材と、ベース部材に取外し可能に取付けられる細長いカバー部材とを有し、ベース部材がその幅方向の両端部に幅方向内向きの一対の係合部を備え、カバー部材がその幅方向の両端部に、ベース部材の一対の係合部に係合される幅方向外向きの一対の被係合部を備える。
【０００８】
本発明の枠体では、細長いベース部材がその幅方向の両端部に幅方向内向きの一対の係合部を備え、細長いカバー部材がその幅方向の両端部にベース部材の一対の係合部に係合される幅方向外向きの一対の被係合部を備えるので、ベース部材へのカバー部材の着脱に際しては、例えば、カバー部材の幅方向一端部にある被係合部をベース部材の対応する幅方向端部にある係合部に係合させた状態で、カバー部材の幅方向他端部にある被係合部をベース部材の幅方向中央部側からベース部材の対応端部にある係合部に係合させたり、ベース部材の対応端部の係合部からベース部材の幅方向中央部に向かって離脱（係合解除）させればよい。従って、着脱に際して、細長いベース部材の幅方向の拡がりを超えてカバー部材が幅方向に突出する必要がない。
【０００９】
なお、ここで、幅方向に関して「端部」とは、典型的には、幅方向端縁を含む部分又はその近傍を指すけれども、実際上、端部とみなし得る限り、端縁等を含まない部分又は領域でもよく、端縁又はその近傍領域を他の限定的な目的で使用する場合の如く場合によっては、端縁又はその近傍領域からある程度離れた部分でもよい。
【００１０】
この枠体は、典型的には、以下に詳述するように、天井埋込型空気調和装置の周囲に取付けられる天井パネル構造体として用いられるに適したものであるけれども、例えば、壁面に取り付けられたポスターその他のものに対する額縁としても用いられ得る。その場合、ポスター等を壁面に取付けた状態で、そのポスターなどの周囲に、枠体を取付ければよい。この場合、壁面は、典型的には、垂直方向の如く上下方向に延びている。なお、額縁として用いる場合、枠体のカバー部材は、空気流を転向させる形状を備えていなくてもよい。
【００１１】
枠体が天井パネル構造体として用いられる場合、枠体は、天井埋込型空気調和装置の空調空気吹出口の下流側において天井面に取付けられることになる。以下では、天井パネル構造体に限って、本発明を、説明する。
【００１２】
本発明の天井パネル構造体は、前記目的を達成すべく、天井埋込型空気調和装置の空調空気吹出口の下流側において天井面に取付けられる天井パネル構造体であって、空調空気吹出口の下流側において天井面に取付けられる直線状ベース部材（２０）であって長さ方向の全域において一定の横断面形状を備えるものと、該直線状ベース部材（２０）と実質的に同じ長さで該直線状ベース部材（２０）に取外し可能に取付けられる直線状カバー部材（３０）であって長さ方向の全域において一定の横断面形状を備えるものとを有し、直線状ベース部材（２０）が、細長い平板状のベース本体（２１）と、該ベース本体の幅方向の両端部において該ベース本体の一方の主面から該ベース本体の幅よりも小さい距離突出した幅方向内向きの一対の係合部（２４，２５）と、該一対の係合部の間においてベース本体の前記一方の主面から突出した補強リブ（２９）とを備え、直線状カバー部材（３０）がその幅方向の両端部に、直線状ベース部材（２０）の一対の係合部（２４，２５）に係合される幅方向外向きの一対の被係合部（３５，３６）を備え、前記直線状カバー部材（３０）が、全体として湾曲板状体の形態であって、吹出口から吹出した空調空気流の案内部（３１）と、案内部の下流側に位置し空調空気の流れに抵抗を付与する抵抗付与部（３２）と、該抵抗付与部の下流側に位置し吹出口から遠いところ程天井面から離れるように傾斜していて空調空気の流れを天井から遠ざかる向きに転向させる転向部（３３）とを有し、直線状カバー部材（３０）の幅方向内側の被係合部（３５）が直線状ベース部材（２０）の対応する係合部（２４）に係合され直線状カバー部材（３０）の前記案内部（３１）が背面で直線状ベース部材（２０）の前記補強リブ（２９）に当接した状態で、直線状カバー部材（３０）の幅方向外側の被係合部（３６）が直線状ベース部材（２０）の対応する係合部（２５）に着脱されるように、直線状カバー部材（３０）の抵抗付与部（３２）及び転向部（３３）と協働してＶ字状断面を与える外側壁部（３４）が転向部（３３）と幅方向外側の被係合部（３６）との間に形成され、且つ直線状ベース部材（２０）の幅方向外側の係合部（２５）が先端部に先端に近い程ベース本体（２１）に近接するように傾斜した傾斜案内面（２７ａ）を有すると共に直線状カバー部材（３０）の幅方向外側の被係合部（３６）が先端部に幅方向内側程天井に近接するように傾斜した傾斜案内面（３８ａ）を有する。
この明細書において、この段落のうち上記の条件を満たさない天井パネル構造体磁気テープの廃棄処理方法は、文言上は、特許請求の範囲の範囲外である。
【００１３】
本発明の天井パネル構造体では、直線状ベース部材がその幅方向の両端部に幅方向内向きの一対の係合部を備え、直線状カバー部材がその幅方向の両端部に、直線状ベース部材の一対の係合部に係合される幅方向外向きの一対の被係合部を備えるので、直線状ベース部材への直線状カバー部材の着脱に際しては、例えば、直線状カバー部材の幅方向一端部にある被係合部を直線状ベース部材の対応する幅方向端部にある係合部に係合させた状態で、直線状カバー部材の幅方向他端部にある被係合部を直線状ベース部材の幅方向中央部から直線状ベース部材の対応端部にある係合部に係合させたり、直線状ベース部材の対応端部の係合部から直線状ベース部材の幅方向中央部に向かって離脱（係合解除）させればよい。従って、着脱に際して、直線状カバー部材を直線状ベース部材の幅方向の拡がりを超えて幅方向に突出させる必要がなく、天井パネル構造体が、例えば、天井埋込型空気調和装置の外側や障害物の内側に極めて近接又は密接する位置に取付けられる場合でも、直線状カバー部材の着脱が空気調和装置によって妨げられる虞れが少ない。
【００１４】
本発明の天井パネル構造体では、典型的には、直線状カバー部材が、吹出口から吹出した空調空気流の案内部と、案内部の下流側に位置し空調空気の流れ（「空調空気流」と同じものを指す、以下同）に抵抗を付与する抵抗付与部と、抵抗付与部の下流側に位置し空調空気の流れを天井から遠ざかる向きに転向させる転向部とを有する。
【００１５】
このような構造を備えることにより、空調装置の吹出口から室内の空間に流出した後でも、該空調空気流を転向させて、該空気流が天井面に当る虞れを最小限に抑制することが可能になる。なお、天井埋込型空気調和装置は、典型的には、中央に室内空気吸込口を備える。
【００１６】
本発明の天井パネル構造体は、典型的には、転向部が吹出口から遠いところ程天井面から離れるように傾斜している。この場合、天井パネル構造体が天井埋込型空気調和装置の外周（一側等の場合を含む）の狭い範囲に取付けられて、転向部が空気調和装置の吹出口に比較的近いところに位置する場合でも、空調空気流を転向させて、該空気流が天井面に当る虞れを最小限に抑制することが可能になる。すなわち、特許３１９０９２６号や特願２００１−４５３９１の実施例で示した転向部（転向誘導部）は、転向部のうちの上流側部分は吹出口から遠いところ程天井面から離れるように傾斜しているけれども、下流側部分は逆に天井面から離れる程吹出口に近づくように大きく湾曲しているのに対して、吹出口に比較的近いところに配設されることを考慮した本発明の天井パネル構造体では、特許３１９０９２６号や特願２００１−４５３９１の実施例で示した転向部（転向誘導部）のような構造（形状）を採ると、抵抗付与部による減速が不充分となって空気流が激しく転向部にぶつかることから、天井面から遠ざかる方向への空気流を形成し難くなる。なお、抵抗付与部を欠く場合にも、吹出口から吹出した空気流が激しく転向部にぶつかることになって、天井面から遠ざかる方向への空気流を形成し難くなる。なお、転向部の傾斜の角度を小さくし過ぎると、空気流が転向部を乗越えるまわり込みが生じて天井面に当りやすくなる。転向部の傾斜や湾曲の大きさ及び空気の流れ抵抗となる抵抗付与部の突出の程度や突出の向き等についての最適条件は、空気調和装置や使用条件のバラツキを考慮して、適宜決定するようにしてもよい。
【００１７】
本発明の天井パネル構造体は、典型的には、直線状カバー部材の幅方向内側の被係合部が直線状ベース部材の対応する係合部に係合された状態で、直線状カバー部材の幅方向外側の被係合部が直線状ベース部材の対応する係合部に着脱されるように、直線状カバー部材の抵抗付与部及び転向部と協働してＶ字状断面を与える外側壁部が転向部と幅方向外側の被係合部との間に形成されている。
【００１８】
この場合、直線状カバー部材のうち空調空気流の流れ方向に関して上流側に位置する幅方向端部にある被係合部を直線状ベース部材の対応する幅方向端部（すなわち、空調装置の側縁に典型的には近接して又は密接して位置する幅方向端部）にある係合部に係合させておいて、「Ｖ」の開きの角度を代えるように直線状カバー部材を変形させるだけで、下流側に位置する幅方向端部にある被係合部を直線状ベース部材の対応する端部の被係合部に対して着脱し得る。ここで、「Ｖ」は、転向部の先端（下流端）において空気流の剥離が生じ得る限り「Ｕ」に形状でもよく、また、先端部に被係合部が形成されている限り外側側壁部の中間部分の形状はどのようなものでもよい。
【００１９】
本発明の天井パネル構造体（１０）は、典型的には、前記直線状ベース部材（２０）及び前記直線状カバー部材（３０）からなる直線状パネル構造体（１１）に加えて、空気調和装置（２）のコーナー部（２ｂ）の外側において、二つの直線状パネル構造体（１１，１１）をつなぐコーナーパネル構造体（１２）を有し、コーナーパネル構造体（１２）は、全体として「く」の字状のコーナーベース部材（４０）及び全体として「く」の字状のコーナーカバー部材（７０）に加えて、空気調和装置（２）のコーナー部（２ｂ）の丸みの差異を吸収すべく該コーナーパネル構造体（１２）のコーナー部の内縁の丸みが調整可能であるように、コーナーベース部材（４０）のコーナー部の内縁部の天井面側の凹部（５３）に該コーナーベース部材（４０）に対して着脱可能に取付けられるコーナースペーサ部材（９０，９８，９９）であって該内縁部の凹部（５３）の形状に適合する外縁部形状を備え且つ空気調和装置（２）のコーナー部（２ｂ）の丸みに適合する丸みの内縁（９２，１０２，１０３）を備えたものを有し、コーナーベース部材（４０）が、「く」の字状の板状のコーナーベース本体（４１）であって一対のアーム部（４２，４２）からなるものと該コーナーベース本体（４１）のアーム部（４２）の幅方向外縁（４５）に位置するＵ字状の外側側壁部（６０）とを有し、該外側側壁部（６０）が、Ｕの外側傾斜壁部（６３）の先端側に先端側傾斜壁部分（６５）を備え、該先端側傾斜壁部分（６５）が各アーム部（４２）の自由端（４７）を越えて突出した突出部（６６）であってその内面（６７）が直線状ベース部材（２０）の幅方向外縁部（２３ａ）の外面に密接されるものを有し、コーナーカバー部材（７０）が、直線状パネル構造体（１１）を形成した状態の直線状カバー部材（３０）の外表面及び直線状ベース部材（２０）の幅方向内側係合部（２４）の外表面と相補的形状の内表面を、「く」の字状の二つの自由端部に備える。
【００２０】
この場合、メーカーやモデルの差異などに起因してコーナー部の（外縁の）丸み（Ｒ）が異なる各種の空気調和装置に対して、天井パネル構造体と該空気調和装置との間に隙間（典型的には汚れた天井面部）を実際上残すことなく、天井パネル構造体が空気調和装置の周囲に極めて近接した状態で天井面に配設され得る。
【００２１】
前記丸み調整のために、本発明の天井パネル構造体では、典型的には、コーナーパネル構造体がコーナーベース部材とコーナーカバー部材とからなり、コーナーベース部材のコーナー部の内縁部には、該内縁部の形状に適合する外縁部形状を備え且つ空気調和装置のコーナー部の丸みに適合する丸みの内縁を備えたコーナースペーサ部材が取付け可能である。
【００２２】
この場合、共通のコーナーベース部材や共通のコーナーカバー部材を用いても、コーナースペーサ部材を適切な内縁湾曲を備えたものに取替えるだけで、天井パネル構造体が、コーナー部の丸みの異なる天井埋込型空気調和装置に適切にフィットせしめられ得る。
【００２３】
天井パネル構造体を構成する各部材は、典型的には、プラスチック材料で形成され、直線状ベース部材及び直線状カバー部材は、典型的には、押出し成形によって形成される。
【００２４】
【発明の実施の形態】
次に、本発明の好ましい一実施の形態を添付図面に示した好ましい一実施例に基づいて説明する。
【００２５】
【実施例】
本発明の好ましい一実施例の天井パネル構造体１０は、例えば、図８の（ａ）に示したように、天井面１に埋設された天井埋込型空気調和装置２の周囲において、天井面１に取付けられる。ここで、空気調和装置（以下では「空調装置」ともいう）２は、空調されるべき室内の空気を吸込むための室内空気吸込口３を、天井面１に沿って露出した底部の中央部に、空調装置２のうち天井裏の領域にある熱交換器（図示せず）で空調された空調済み空気を室内に吹出すための空調空気吹出口４を底部の周囲の四辺に有する。
【００２６】
このような空調装置２に対して、天井面１に取付けられるべき天井パネル構造体１０は、例えば、図８の（ｂ）に示したように、四つの直線状パネル構造体１１とこれらをつなぐ四つのコーナーパネル構造体１２とを有する。天井パネル構造体１０が天井面１に取付けられた場合、図８の（ｃ）に示したように、各直線状パネル構造体１１は、空調装置２の各空調空気吹出口４の下流側において該吹出口４に対向するように、且つその幅方向内側縁１１ａが実際上空調装置２の対応する側縁２ａに近接又は密接するように、空調装置２の周囲すなわち外側に位置する。一方、コーナーパネル構造体１２は、そのコーナー部の内縁１２ａが、空調装置２のコーナー部の外縁２ｂに近接又は密接する。
【００２７】
なお、空調装置２が、図８の（ｃ）の想像線で示したように、Ｙ方向により長い場合、Ｙ方向に延びる直線状パネル構造体１１として、空調装置２の対応する辺の長さに応じた長さのもの１１ｂを用いる。
【００２８】
空調装置２の空調空気吹出口４が、四箇所にある代わりに、例えば、一つ又は二つの辺に沿って延びるように一箇所又は二箇所にある場合、直線状パネル構造体１１を該吹出口４の下流側に位置するように該当する辺に沿って設ければよい。直線状パネル構造体１１が一つだけ又は平行に二つ設けられる場合、典型的には、直線状パネル構造体１１の両端には、図５に基づいて後述する端部キャップ８０，８９が取付けられる。その場合、天井パネル構造体１は、実際上、一つの直線状パネル構造体１１（及び一対の端部キャップ８０，８９）からなる。また、直線状パネル構造体１１が空調装置２の隣接する二辺に沿って設けられる場合、該二つの直線状パネル構造体１１の隣接端部はコーナーパネル構造体１２で接続される。なお、各直線状パネル構造体１１の自由端には、対応する端部キャップ８０，８９が被せられる。その場合、天井パネル構造体１０は、二つの直線状パネル構造体１１，１１（及び端部キャップ８０，８９）と、一つのコーナーパネル構造体１２とからなる。
【００２９】
直線状パネル構造体１１は、図１に示したような直線状ベース部材２０及び直線状カバー部材３０からなる。
【００３０】
例えば押出し成形体からなる直線状ベース部材２０は、図１の（ａ）から（ｃ）に示したように、所望の幅Ｗの細長い板状の本体２１と、該本体２１の幅方向の内側及び外側端部２２，２３に、相互に対して対面するように幅方向内向きに形成された係合部２４，２５を有する。ここで、幅方向に関して、内側というときは、空調装置に対面する側を指し、外側というときには、空調装置とは反対側を指す。但し、二つの係合部に関して「幅方向内向き」というときには、相互に対面する向きを指す。係合部２４，２５のカギ型突起２６，２７は、係合を確実にするように先端が曲がっている。なお、係合部２４は、ベース部材２０の板状本体２１の対応する内側端部２２の端縁２２ａから少しだけ離れて位置している。
【００３１】
直線状ベース部材２０のベース本体２１は、ビス等の取付け孔２８を、ほぼ等間隔に備える。取付け孔２８には、丸孔２８ａと幅方向に延びた長孔２８ｂとがあり、例えば、長孔２８ｂにビスを仮止めした場合には、直線状ベース部材２０の幅方向の位置及び向きがある程度調整可能である。符号２９は、補強などのためのリブである。
【００３２】
直線状ベース部材２０の幅Ｗは、例えば、約７ｃｍ〜約８ｃｍ程度である。但し、約７ｃｍ程度より短くても、約８ｃｍ程度より長くてもよい。なお、直線状ベース部材２０の長さは、十分に長く、直線状パネル構造体１１が適用されるべき空調装置２の対応する辺の長さに応じた所望長さに、典型的には現場で、切断される。
【００３３】
直線状カバー部材３０は、図１の（ｄ）及び（ｅ）並びに（ｆ）の下半分に示したように、組付け前の状態では、直線状ベース部材２０よりも少し広い幅を備えた押出し成形体からなり、空調装置２の吹出口４からの空調空気流を案内する案内面を備えた案内部３１と、案内部３１の下流側に位置し空調空気の流れに対して抵抗となって空調空気の流速を低減させる抵抗付与部としての抵抗付与突起部３２と、抵抗付与突起部３２の下流側に位置し空調空気流の向きを変える（空調空気流を天井面から遠ざかる向きに転向させる）転向部３３とを有する。転向部３３の下流端は、小さな曲率半径で曲がって抵抗付与突起部３２及び転向部３３と協働してほぼＶ字状（図１の（ｄ））の壁部を構成する下流側壁部３４につながっている。この転向部３３までのＶの高さＨは、例えば、約４ｃｍ程度であり、転向部３３が鉛直方向に対してなす傾斜角度θは、約１５度程度である。また、抵抗付与突起部３２は、半径が約１ｃｍ程度の部分円筒面からなる。但し、高さＨ，傾斜角度θ及び突起部３２の半径は、夫々、約４ｃｍ程度より大きくても、約１５度程度より小さくても、約１ｃｍ程度より大きくてもよく、また、その逆に、約４ｃｍ程度より小さくても、約１５度程度より大きくても、約１ｃｍ程度より小さくてもよい。突起部３２は、部分円筒状の代わりに、他の湾曲凸面形状でもよい。
【００３４】
直線状カバー部材３０は、更に、幅方向の内側及び外側端部に幅方向外向きの被係合部３５及び３６を有する。各被係合部３５，３６は、先端が下向きに曲がったカギ型の被係合突起部３７，３８からなる。外側突起部３８は、先端部の外側面３８ａが幅方向外側ほど下方に位置するように傾斜した案内面になっている。
【００３５】
直線状ベース部材２０と直線状カバー部材３０とから直線状パネル構造体１１を形成する場合には、直線状ベース部材２０及び直線状カバー部材３０を実質的に同一の所定長さに切断した後、例えば、空調装置２の側縁２ａに直線状ベース部材２０の内側端面２２ａが実際上当接する状態で直線状ベース部材２０をビス孔２８を介してビスで天井面１に固定又は仮固定しておく。次に、直線状カバー部材３０の幅方向内側の被係合部３５の被係合突起３７を直線状ベース部材２０の幅方向内側の係合部２４の係合突起部２６に係合させるように係合凹部２４ａに差込み、次に、（必要ならば、直線状カバー部材３０のＶ字状壁部３２及び３３並びに３４をＶの開き角度が小さくなるように手でつまむか又は側壁３４を空調装置２の方へ押す等により）直線状カバー部材３０の幅方向外側端部にある被係合部３６の被係合突起３８を直線状ベース部材２０の対応する端部２３の係合部２５の係合突起２７に当接させ、直線状カバー部材３０のＶ字状壁部３３，３４等を直線状ベース部材２０に向かって押し上げることにより、直線状カバー部材３０の被係合部３６の被係合突起３８の傾斜案内面３８ａを直線状ベース部材２０の係合部２５の係合突起２７の傾斜案内面２７ａに沿って滑らせ、直線状カバー部材３０のＶ字状壁部３３，３４等を、図１の（ｇ）において想像線で示した状態からＶの開き角を狭めさせて、直線状カバー部材３０の被係合部３６の被係合突起３８を直線状ベース部材２０の係合部２５の係合凹部２５ａに嵌込んで、図１の（ｇ）に示したような直線状パネル構造体１１を形成する。
【００３６】
その結果、図１の（ｆ）の上半分に示したように、直線状カバー部材３０の狭幅化に伴う若干の高さの増大を伴いつつ、直線状パネル構造体１１が形成されることになる。
【００３７】
なお、取外しに際しては、直線状カバー部材３０のＶ字状壁部３３，３４のＶの開き角度を若干小さくするように力を加えて、直線状ベース部材２０の係合部２５に対する直線状カバー部材３０の被係合部３６の係合を解除すればよい。
【００３８】
次に、コーナーパネル構造体１２を構成するコーナーベース部材４０、コーナースペーサ部材９０，９８，９９及びコーナーカバー部材７０について、図２から図４に基づいて説明する。
【００３９】
コーナーベース部材４０は、図２に示したように、「く」の字状の板状体からなるコーナーベース本体４１を有する。本体４１は、一点鎖線Ｃで示した仮想的なコーナー線Ｃで滑らかにつながるように湾曲し且つ全体として相互に直角方向に延びた一対のアーム部４２ａ，４２ｂからなる。コーナーベース部材４０の全ての要素は、後述する孔４６を除いて、コーナー線Ｃを含み図の面に直角な平面に関して鏡映対称であり、アーム部４２ａのある側の要素には添字「ａ」を付し、アーム部４２ｂのある側の要素には添字「ｂ」を付す。また、両者を区別しないとき又は総称するときは、単に、「４２」の如く、「ａ」や「ｂ」を省いて示す。
【００４０】
コーナーベース本体４１のアーム部４２ａ，４２ｂは、幅方向内縁４３ａ，４３ｂの近傍に内側リブ４４ａ，４４ｂを有し、幅方向外縁４５ａ，４５ｂにＵ字状の外側側壁部６０ａ，６０ｂを有する。外側側壁部６０は、コーナーベース本体部４１の外縁から立上った内側垂直壁部６１と壁部６１につながった水平壁部６２と壁部６２につながった外側傾斜壁部６３とを備え、外側傾斜壁部６３は、Ｕの底部側の傾斜壁部分６４とＵの先端側傾斜壁部分６５とを含む（ここでは、天井面１に配置された状態での向きを基準に表している）。外側傾斜壁部６３の先端側傾斜壁部分６５すなわち６５ａ，６５ｂは、アーム部４２ａ，４２ｂの自由端４７ａ，４７ｂを越えて突出した突出部６６ａ，６６ｂを有する。
【００４１】
外側側壁部６０の外側傾斜壁部６３の先端側傾斜壁部分６５の内面６７と本体部４１の内縁４３との間の距離は、Ｗであり、直線状パネル構造体１１の直線状ベース部材２０の幅Ｗと一致している。従って、直線状ベース部材２０は、長手方向端面がコーナーベース部材４０の本体４１の自由端４７に当接し、且つその幅方向外側端縁２３ａ（図１の（ａ））が外側側壁部６０の外側傾斜壁部６３の先端側傾斜壁部分６５の内面６７に当接する状態で、コーナーベース部材４０に対して配置ないし位置決めされた際、直線状ベース部材２０の幅方向内縁２２ａが、コーナーベース部材４０の本体４１の内縁４３と実際上面一になる。また、直線状ベース部材２０の係合部２４の内側面とコーナーベース部材４０の内側リブ４４の内面とが実際上面一になる。
【００４２】
コーナーベース部材４０の本体部４１は、図２の（ｄ）に示したように、その裏面５１のうちコーナー線Ｃのまわり（コーナー部）の内縁部及びその近傍に、ほぼ「く」の字状の外側面５２を備えた「く」の字状の凹部５３を備える。なお、表面５４（図２の（ｂ））は、ほぼ同様な形状の凸部５５になっている。また、この凹部５３のある領域では、内側リブ４４に相当する部分に切欠５６が形成され、凹部５３の底壁には、孔５７が形成されている。
【００４３】
凹部５３及び切欠５６によって規定される領域には、丁度、図３に示したようなコーナースペーサ部材が嵌り込む。より詳しくは、例えば、図３の（ａ）から（ｄ）に示したようなコーナースペーサ部材９０は、仮想コーナー線Ｃを通り図の面に直角な平面に関してして、鏡映対称な「く」の字状の板状体からなるコーナースペーサ本体９１と、本体９１の内縁９２の近傍に位置する全体として「く」の字状のリブ９３と、本体９１の表面９４から突出する一対の円筒状突起部９５，９５すなわち９５ａ，９５ｂ（添字「ａ」，「ｂ」の使い方は、コーナーベース４０の場合と同様）とを有する。突起部９５は、外周面に嵌合の際の位置決め・固定を助ける複数（図示の例では四本）の軸線方向延在突出部９６を備える。なお、リブ９３の内側には、本体部９１の一部をなす内縁側スペーサ部分９７が「く」の字状に延びている。
【００４４】
このコーナースペーサ９０は、板状本体部９１のうちリブ９３よりも外側の部分がコーナーベース部材４０の凹部５３に丁度嵌り込むような形状を有する。このとき、コーナースペーサ９０の円筒状突起部９５ａ，９５ｂは、夫々、コーナーベース部材４０の凹部５３の底壁の孔５７ａ，５７ｂに丁度嵌着される。このような装着状態において、コーナースペーサ９０のリブ９３ａ，９３ｂは、実際上、コーナーベース部材４０の切欠５６に位置して内側リブ４４ａ，４４ｂと一列になる。また、コーナースペーサ９０の本体部９１の内縁側スペーサ部分９７の内縁９２ａ，９２ｂは、実際上、コーナーベース部材４０の本体４１の内縁４３ａ，４３ｂと、一列につながる。
【００４５】
従って、天井面１への組付け時についていえば、まず、コーナースペーサ９０を、その本体部９１の内縁９２ａ，９２ｂが空調装置１のコーナー部２ｂの外縁に沿うように配置しておき、次に、このように配置されたコーナースペーサ９０に対して、該スペーサ９０が凹部５３に嵌り込むように、コーナーベース部材４０を配置し、その後、コーナーベース部材４０を天井面１に取付けることになる。
【００４６】
なお、コーナースペーサ９０の内縁９２ａ，９２ｂは、図３の（ｂ）及び（ｄ）からわかるように、実質的に直角な角が仮想コーナー線Ｃに沿うコーナー部に形成された形状を備える。従って、仮に、空調装置２のコーナー部２ｂに比較的曲率半径の大きい丸みがあるような場合には、仮想コーナー線Ｃに近傍では、空調装置２のコーナー部２ｂの外縁とコーナースペーサ９０の内縁９２との間に隙間ができてしまい、天井面の色や汚れが該隙間から見えてしまう虞れがある。
【００４７】
そのような場合には、コーナースペーサ９０の代わりに、例えば、コーナースペーサ９８（図３の（ｅ）及び（ｆ））やコーナースペーサ９９（図３の（ｇ）及び（ｈ））を用いる。コーナースペーサ９８や９９は、その内縁側スペーサ部分１００や１０１の内縁１０２や１０３の形状が異なる（仮想コーナー線Ｃを含む領域の丸みの径すなわちＲ（アール）が異なる点を除いて、他の部分は、コーナースペーサ９０と全く同一形状に形成されている（勿論、コーナースペーサ９８や９９は、コーナースペーサ９０と同様に凹部５３に嵌り込んで固定され得る形状を備える限り、内縁以外の部分の形状が図示のものとは異なっていてもよい）。従って、コーナースペーサ９０，９８，９９のいずれを用いるかは、ひとえに、対象となる空調装置２のコーナー部２ｂの丸みがどの程度であるかに依存し、該コーナー部２ｂの丸みに実際上一致する丸みの内縁９２又は１０２または１０３を備えたコーナースペーサ９０又は９８又は９９をコーナースペーサとして採用し、該採用スペーサにコーナーベース部材４０を装着することにより、コーナー部に見苦しい隙間を生じさせることなく、コーナーベース部材４０を装着し得ることになる。なお、コーナースペーサとしては、例示したような三種類の内縁のもの以外に更に多くの種類のものを準備しておいてもよい。なお、アールがほぼ一致して隙間がわずかである場合には、その隙間をコーナー部に局在させるためには、コーナースペーサとしては、例えば、その内縁の曲率半径が空調装置２のコーナー部の曲率半径以下であって該曲率半径にできるだけ近いものが用いられる。
【００４８】
図２のコーナーベース部材４０の説明に戻る。コーナーベース本体４１は、丸孔又は長孔の形態のビス取付孔４６を備え、該ビス取付孔４６に挿通されるビス等により天井面１に固定される。なお、仮想コーナー線Ｃの近傍で且つその両側に位置する孔４６は一方が長孔で他方が丸孔になっている（この例では、この点だけは、鏡映対称性が崩れている）。各長孔は、コーナー線Ｃと平行な方向に延びており、これらの長孔を用いてビス止めした場合には、コーナーベース部材４０は、空調装置２のコーナー部２ｂに対して近接離間されるように位置調整可能である。この位置調整は、コーナーベース部材４０に対して位置決めされる直線状ベース部材２０と空調装置２の対応側縁２ａとの間の距離ないし間隔を変えることになる。
【００４９】
コーナーベース本体４１には、更に、コーナーカバー取付用の突起４８，４９が形成されている。仮想コーナー線Ｃ上に位置する円筒状突起４８は、図３の（ｇ）等からわかるとおり、先端にスリットが切られ且つ先端の内面にテーパが切られて、後述するコーナーカバー部材７０の突起の着脱を容易にしている。一方、補強リブ付の円筒状突起４９は、コーナーカバー部材７０のビス止めを可能にしている。
【００５０】
なお、コーナーベース部材４０の外側側壁部６０の外側傾斜壁部６３のうちＵの底部側傾斜壁部分６４には、コーナーカバー部材７０の被係合突起部７７が嵌る係合凹部ないし係合孔５０が形成されている。符号５８は、補強などのためのリブである。
【００５１】
コーナーベース部材４０と協働してコーナーパネル構造体１２を形成するコーナーカバー部材７０は、コーナーベース部材４０がコーナースペーサ９０と共に天井面に取付けられ且つ図６に示したようにコーナーベース部材４０の両端部に直線状ベース部材２０，２０が配置されて天井面に取付けられた後更に直線状ベース部材２０，２０に直線状カバー部材３０，３０が装着されて直線状パネル構造体１１がコーナーベース部材４０の両端に組付けられた状態において、直線状パネル構造体１１の長手方向端部を蔽うようにコーナーベース部材４０に装着されるものである（例えば、図７の（ｃ）、（ｅ）及び（ｆ）参照）。
【００５２】
このようなコーナーカバー部材７０は、図４に示したように、仮想コーナー線Ｃを含み図の面に直角な平面に関して鏡映対称で且つほぼ「く」の字状の平面形状を有し、直線状パネル構造体１１の直線状カバー部材３０に被さるようにその外表面と相補的形状の内表面を有する。すなわち、コーナーカバー部材７０は、案内部３１に重なる案内部カバー部分７１、抵抗付与突起部３２に重なる抵抗付与突起部カバー部分７２、転向部３３に重なる転向部カバー部分７３、及び外側壁部３４に重なる外側壁部カバー部分７４を備え、更に直線状パネル構造体１１の直線状ベース部材２０の係合部２４の外表面に重なる相補的形状のカバー部分７５を有する（図７の（ｅ）も参照）。これらの各部位７１，７２，７３，７４，７５も夫々「く」の字状の平面形状を有する。コーナーカバー部材７０のところには、通常は、空調空気流が比較的当らないけれども、直線状カバー部材３０に沿って横に逃げる空調空気流に対しては、直線状カバー部材３０と同様な機能形状を備えることにより、多少なりとも、直線状カバー部材３０と同様に働く。
【００５３】
コーナーカバー部材７０には、更に、その抵抗付与部カバー部分７２の内面に、直線状ベース部材４０の円筒状突起４８の孔に取外し可能に嵌め込まれる主として位置決め用の突起７６を備えると共に、外側壁部カバー部分７４の先端部の内面に、コーナーベース部材４０の係合凹部５０に係合される被係合突起７７を備える。なお、コーナーカバー部材７０には、更に、コーナーベース部材４０の円筒状突起部４９，４９のビス受容孔と一列になる箇所に、略円筒状の周壁７８，７８を備えたビス受容孔を有する。なお、コーナーカバー部材７０をコーナーベース部材４０に対して取外し可能に固定するには、必ずしも、円筒状突起部４９，７８を利用したビス止めを行うようにする必要はないけれども、天井パネル構造体１０を一旦天井面１に取付けた後、種々の目的のために、分解又は取外そうとする場合に、外観からは分解の仕方がわかり難いことから、この実施例の天井パネル構造体１０のコーナーパネル構造体１２では、コーナーカバー部材７０が、ビス取付け部７８，７８のビスを取外すことにより、コーナーベース部材４０から容易に取外し可能になっている。
【００５４】
図５に示した端部キャップ８０は、直線状パネル構造体１１が端部においてコーナーパネル構造体１２に取付けられない場合に、その自由端部に取付けられて該自由端部を閉じるためのものである。
【００５５】
端部キャップ８０は、直線状パネル構造体１１の直線状カバー部材３０に被せられる点でコーナーカバー部材７０と共通しており、端壁８１に加えて、コーナーカバー部材７０と同様に、案内部カバー部分８２、抵抗付与突起部カバー部分８３、転向部カバー部分８４、係合部カバー部分８５及び外側側壁部カバー部分８６を備える。なお、端部キャップ８０は、また、直線状ベース部材２０の幅方向外側の係合部２５のカバー部分８７を備える。端部キャップ８０は、更に、直線状パネル構造体１１の内側に挿入されるべく端壁８１から垂直に突出した円筒状突起部８８−１，８８−２，８８−３を有する。これらの円筒状突起部８８−１，８８−２，８８−３のうち最大径の突起部８８−１は、直線状カバー部材３０の抵抗付与突起部３２の内面に当接せしめられ、一方の小径突起８８−２は、直線状カバー部材３０の転向部３３の内面及び外側側壁部３４の内面に当接せしめられ、もう一方の小径突起８８−３は、直線状カバー部材３０の外側の被係合部３６の内面及び外側側壁部３４の内面に当接せしめられて、直線状パネル構造体１１の直線状カバー部材３０に取外し可能に固定される（図７の（ｄ）、但し、後述の端部キャップ８９についての例）。なお、端部キャップ８０は、更に、細い突起８８−４を幅方向の内縁近傍に備え、該突起８８−４は、直線状パネル構造体１１の直線状ベース部材２０の幅方向内側の係合部２４内に嵌めこまれて、位置決めされる。
【００５６】
なお、端部キャップは、直線状パネル構造体の端部に被せられるものであるから、相互に鏡映対称なもう一つのものを有する。このような端部キャップ８９は、図５の（ｆ）に示したように、鏡映対称な形状であることを除いて、図５の（ａ）〜（ｅ）の端部キャップ８０と全く同様な構造を有する。
【００５７】
以上のような構成を備えた天井パネル構造体１０について、その組付け方及び働きに関して、簡単にまとめて説明する。
【００５８】
まず、空調装置２のコーナー部２ｂの丸みに適合する内縁９２，１０２，１０３の湾曲を備えたスペーサ９０，９８，９９等を選んで、夫々、対応するコーナー部に配置する。図６では、右上及び左下隅についてはスペーサ９０，９０が選択・配置され、左上隅についてはスペーサ９８が選択・配置され、右下隅についてはスペーサ９９が選択配置されたとして図示している（通常は、相互に同一のアールのスペーサが四隅に選択されることが多い）。なお、スペーサのアール部の一部は、空調装置２のコーナー部２ｂの化粧板と天井面１との間に挿入されてもよい。その場合、スペーサのアール部の半径は、空調装置２のコーナー部のアールよりも大きい。
【００５９】
次に、スペーサ９０，９０，９８，９９の夫々が凹部５３に丁度嵌着されるようにコーナーベース部材４０をスペーサに被せつつ、空調装置２のコーナー部２ｂに配設し、コーナーベース部材４０の孔４６のうち例えば長孔を利用して、コーナーベース部材４０を仮固定する。
【００６０】
次に、直線状ベース部材２０をコーナーベース部材４０の自由端部４７，４７間の距離に一致する長さに切断する。なお、図６では、直線状ベース部材２０の位置する辺は左右及び上下方向の両方共に中間を省いて示してあり、通常は、直線状ベース部材２０の長さは、コーナーベース部材４０のアーム部４２，４２の長さよりも、はるかに長い。
【００６１】
次に、切断した各直線状ベース部材２０を、コーナーベース部材４０の自由端４７，４７の間で且つ幅方向外縁部２３ａがコーナーベース部材４０の外側側壁部６０の突出壁部分６６の内面６７に密接するように位置決め・配置し、長孔２８ｂを利用してビスで天井面１に仮止めする。この場合、直線状ベース部材２０の長さが僅かにずれているときには、例えば、スペーサ９０など及び長孔４６で許容される範囲内で、コーナーベース部材４０の位置をずらし、更に、直線状ベース部材２０を長孔２８ｂで許容される範囲で僅かにずらす。このような操作を繰返しつつ、四つの直線状ベース部材２０を天井面に仮固定する。位置決めが十分に正確である場合には、この段階で、各ベース部材２０，４０を天井面１に完全に固定してもよい。このようにして、四つのコーナースペーサ９０，９８，９９、四つのコーナーベース部材４０及び四つの直線状ベース部材２０が取付けられた状態が、図６に示されている。
【００６２】
次に、直線状ベース部材２０と同一長さに切断した直線状カバー部材３０を対応する直線状ベース部材２０に係合させて固定する。このとき、直線状カバー部材３０の幅方向内側の被係合部（凸部）３５を直線状ベース部材２０の幅方向内側の係合部２４の凹部２４ａに幅方向外側から差込んで係合させておいて、直線状カバー部材３０のＶ字状の壁部分３３，３４等をＶの角度が小さくなるように撓めながら、直線状カバー部材３０の幅方向外側の被係合部３６の傾斜面３８ａが直線状ベース部材２０の係合部２５の傾斜面２７ａに沿って移動するように直線状カバー部材３０の幅方向外側部分を直線状ベース部材２０に向かって天井面１の方へ押し上げることにより、被係合部３６が幅方向内側に移動して直線状ベース部材２０の係合部２５に容易に係合せしめられ得る。この係合の際、直線状カバー部材３０が直線状ベース部材２０の拡がりの範囲を越えることがないので、幅方向の内側の空調装置２に加えて幅方向外側に障害物などがあっても、その装着が容易且つ確実に行われ得る。このようにして、直線状パネル構造体１１が形成される。
【００６３】
全ての直線状パネル構造体１１の取付けが完了したら、最後に、コーナーカバー部材７０を各コーナーベース部材４０及び直線状パネル構造体１１の直線状カバー部材３０の隣接端部を覆うように被せて、係合突起部７７をコーナーベース部材４０の係合凹部５０に係合させ、更に、ビス受容部７８，４６にビスを取付けて、図８の（ｃ）や図７の（ａ）及び（ｂ）に示すような天井パネル構造体１０を完成させる。なお、直線状パネル構造体１１の少なくとも一部が自由端になっている場合には、該自由端には、端部キャップ８０又は８９を被せる（図７の（ｃ））。
【００６４】
このようにして、形成された天井パネル構造体１０では、天井パネル構造体１０の直線状パネル構造体１１が比較的狭幅であるので、空調装置２の周囲の天井面１の配設スペースが限られている場合であっても、直線状パネル構造体１１の取付けが可能であり、更に、抵抗付与突起部３２で空調空気流の流速をある程度弱めた上で比較的急勾配の傾斜転向部３３で天井面１から遠ざかる向きに転向させるので、空調空気流が、実際上、天井面に当ることなく室内の広範囲に拡げられ得る。その結果、天井面を汚す虞れが少なく且つ空調の効率も高く保ち得る。なお、ここで、転向とは、天井面に向かう又はまわり込む流れを実際上最小限に抑え得る限り、床面に向かうような下向きの角度は小さくてもよく、天井面に沿ってしまうような流れを、実際上、殆ど横向き（水平）に近い僅かに下向き等の流れに変えることを含む。
【００６５】
このような直線状パネル構造体１１を備えた天井パネル構造体１０を空調装置２に適用した場合を、該パネル構造体を用いない場合と比較実験した結果の一例を、冷房の場合と暖房の場合との夫々について、図９の（ａ）及び（ｂ）に示した。横軸が０のところが、空調装置２（図９では符号を付さず）の中央位置になる。（ａ）及び（ｂ）の左半分が直線状パネル構造体１１を用いた場合で、右半分が用いない場合である。なお、この比較実験では、空調装置２の吹出口４の風向調整フラップは、最も横向き（上向き）に噴出す位置に設定した。（ａ）及び（ｂ）の左半分からもわかるとおり、空調空気流が天井面を避けるように流れるだけでなく、急勾配の転向面で戻されることなく下流側に流れていることがわかる。なお、抵抗付与突起部を欠く場合には、急勾配の傾斜面３３に空気流が強くあたって、図９に示したような下流側への流れが十分には生じ難い。また、転向部３３が、特許３１９０９２６号や特願２００１−４５３９１の実施例で示した転向部（転向誘導部）のように下流側において天井面から遠ざかるほど吹出口に近づくように大きく湾曲している場合、この大きな転向を許容するには抵抗付与部による減速が不充分となって空気流が激しく転向部にぶつかり過ぎることから、図９に示したような下流側に拡がる空気流を形成し難くなる。
【００６６】
なお、図９において、天井パネル構造体１０を用いた場合、天井面１の近傍に空調空気流が殆ど達しない非空調領域（非空調ゾーン）が形成されることは、当該領域の空気の冷却又は加温を要しないことになるから、結果的に、空調コストを低減させていることになり、また、空調装置２の空調能力を空調に最大限有効に活用していることになるから、空調の効率を上げていることになる。但し、図９の定量的な分布は、当然ながら、空調装置２の風向調整フラップの向きだけでなく、吹出した空調空気の流れや空気流の大きな循環に影響を与える各種環境（障害物の有無、室の床面積や室温等）にも依存する。いずれにしても、この結果から、空調装置２の吹出口４から離れたところでも、吹出口４に設けられるフラップと同様な機能を十分に果たし得ることがわかる。
【００６７】
なお、典型的には、空気調和装置用の天井パネル構造体として用いられる枠体は額縁としても用いられ得る。すなわち、例えば、図８の（ｃ）において空調装置２のあるところに、空調装置２の代わりに写真やポスターなどが位置していてもよい。この場合、取付面は、水平な天井面ではなくて、典型的には、室内又は屋外の上下に延びた壁面である。
【図面の簡単な説明】
【図１】本発明による好ましい一実施例の天井パネル構造体で用いられる直線状パネル構造体を説明するためのもので、（ａ）は直線状パネル構造体の直線状ベース部材の側面図、（ｂ）は（ａ）の直線状ベース部材の底面図、（ｃ）は（ｂ）の直線状ベース部材の右側面図、（ｄ）は直線状パネル構造体の直線状カバー部材の側面図、（ｅ）は（ｄ）の直線状カバー部材の底面図、（ｆ）の下半分は（ｅ）の直線状カバー部材の右側面図で上半分は直線状パネル構造体の同様な向きから見た側面図、（ｇ）は直線状パネル構造体の側面図。
【図２】本発明の好ましい一実施例の天井パネル構造体で用いられるコーナー構造体の一部をなすコーナーベース部材を説明するためのもので、（ａ）は（ｂ）で示したコーナーベース部材の左側面説明図（（ｂ）の矢印ＩＩＡ方向の側面図）、（ｂ）は正面説明図（（ａ）及び（ｃ）の矢印ＩＩＢ方向の図）、（ｃ）は（ｂ）の右側面説明図（（ｂ）の矢印ＩＩＣ方向の側面図）、（ｄ）は（ｂ）の背面説明図（（ａ）及び（ｃ）の矢印ＩＩＤ方向の図）、（ｅ）は（ｂ）のＩＩＥ−ＩＩＥ線断面説明図、（ｆ）は（ｂ）のＩＩＦ−ＩＩＦ線断面説明図、（ｇ）は（ｂ）のＩＩＧ−ＩＩＧ線断面説明図。
【図３】図２のコーナーベース部材と共に用いられるコーナースペーサを示したもので、（ａ）は好ましい一例のコーナースペーサの側面説明図（（ｂ）の矢印ＩＩＩＡ方向の側面図）、（ｂ）は（ａ）の底面説明図（（ａ）の矢印ＩＩＩＢ方向の図）、（ｃ）は（ｂ）の下側面説明図（（ｂ）の矢印ＩＩＩＣ方向の側面図）、（ｄ）は（ｂ）の背面説明図（（ａ）の矢印ＩＩＩＤ方向の図）、（ｅ）及び（ｆ）はコーナースペーサの別の好ましい一例を示したもので、夫々、（ｂ）及び（ｄ）と同様な向きで見た説明図、（ｇ）及び（ｈ）はコーナースペーサの更に別の好ましい一例を示したもので、夫々、（ｂ）及び（ｄ）と同様な向きで見た説明図。
【図４】図２のコーナーベース部材及び図１の直線状パネル構造体と組合せて用いられる好ましい一例のコーナーカバー部材を説明するためのもので、（ａ）は（ｂ）のコーナーカバー部材の左側面説明図、（ｂ）はコーナーカバー部材の正面（底面）説明図、（ｃ）は（ｂ）の右側面説明図、（ｄ）は（ｂ）の背面説明図、（ｅ）は（ｄ）のＩＶＥ−ＩＶＥ線断面説明図、（ｆ）は（ｄ）のＩＶＦ−ＩＶＦ線断面説明図。
【図５】図１の直線状パネル構造体に用いられる端部キャップの好ましい一例を示したもので、（ａ）は（ｂ）の左側面説明図（（ｂ）及び（ｅ）の矢印ＶＡ方向の図）、（ｂ）は正面説明図、（ｃ）は（ｂ）の右側面説明図（（ｂ）及び（ｅ）の矢印ＶＣ方向の図）、（ｄ）は（ｂ）の下面説明図（ｂ）の矢印ＶＤ方向の図）、（ｅ）は（ｂ）の背面説明図、（ｆ）は（ａ）〜（ｅ）の端部キャップとは反対側の端部で用いられるべく鏡映対称な形状を備える点を除いて同様な端部キャップについての（ｂ）と同様な図。
【図６】本発明による好ましい一実施例の天井パネル構造体のうちコーナースペーサ、コーナーベース部材及び直線状ベース部材を天井面に取付けた状態を示す平面（底面）説明図。
【図７】本発明による好ましい一実施例の天井パネル構造体を天井面に取付けた状態の概観を説明するためのもので、（ａ）は図８の（ｂ）のような最終組立体についての側面説明図、（ｂ）は図８の（ｂ）のような最終組立体について図６のＶＩＩＢ−ＶＩＩＢ線の位置でみた断面説明図、（ｃ）は一つのコーナーの周囲を示した一組付け例の平面（底面）説明図、（ｄ）は（ｃ）のＶＩＩＤ−ＶＩＩＤ線断面説明図、（ｅ）は（ｃ）のＶＩＩＥ−ＶＩＩＥ線断面説明図、（ｆ）は（ｃ）のＶＩＩＦ−ＶＩＩＦ線断面説明図。
【図８】本発明の大まかな概要を説明するためのもので、（ａ）は本発明による好ましい一実施例の天井パネル構造体が適用される天井埋込型空気調和装置の正面（底面）説明図、（ｂ）は（ａ）の空気調和装置に適用される天井パネル構造体の正面（底面）説明図、（ｃ）は（ａ）の空調装置に（ｂ）の天井パネル構造体を適用した状態を示した説明図。
【図９】本発明による好ましい一実施例の天井パネル構造体による空調空気流の転向及び室内分散効果を天井パネル構造体を用いない場合と比較してテストした実験結果を示したもので、（ａ）は冷房の場合の空調空気の流れを流速分布で示した図、（ｂ）は暖房の場合の空調空気の流れを温度分布で示した図。
【符号の説明】
１  天井面
２  空気調和装置
２ａ  コーナー部
３  室内空気吸込口
４  空調空気吹出口
１０  天井パネル構造体
１１  直線状パネル構造体
１２  コーナーパネル構造体
２０  直線状ベース部材
２４，２５  係合部
３０  直線状カバー部材
３５，３６  被係合部
４０  コーナーベース部材
７０  コーナーカバー部材
９０，９８，９９  コーナースペーサ（部材）
【図１】
0003947662.tif 000002
【図２】
0003947662.tif 000003
【図３】
0003947662.tif 000004
【図４】
0003947662.tif 000005
【図５】
0003947662.tif 000006
【図６】
0003947662.tif 000007
【図７】
0003947662.tif 000008
【図８】
0003947662.tif 000009
【図９】
0003947662.tif 000010